【手続補正書】
【提出日】平成20年1月4日(2008.1.4)
【手続補正１】
【補正対象書類名】特許請求の範囲
【補正対象項目名】全文
【補正方法】変更
【補正の内容】
【特許請求の範囲】
【請求項１】
吐出する液体を所望量に計量する計量孔を有するシリンダブロックと、計量孔内を摺動するプランジャロッドと、プランジャロッドを動作させるプランジャ駆動手段と、液体を貯留する貯留部と、ノズルを有する吐出部と、貯留部と計量孔を連通する第一位置及び吐出部と計量孔を連通する第二位置を有するバルブブロックと、バルブブロックを動作させるバルブ駆動手段と、これらの作動を制御する制御部と、を備えた液体の定量吐出装置であって、
前記シリンダブロックと前記バルブブロックとを連設し、
前記バルブブロックを前記シリンダブロックに押圧する押圧手段を設けたことを特徴とする液体の定量吐出装置。
【請求項２】
前記押圧手段は、シリンダブロックと協働してバルブブロックを挟持する押圧部材により構成され、挟持されたバルブブロックを摺動して、前記第一位置と前記第二位置とを切り換えることを特徴とする請求項１の液体の定量吐出装置。
【請求項３】
前記バルブ駆動手段は、前記押圧手段により押圧された前記バルブブロックを押圧方向に移動可能に支持する支持部材（３３）を備えることを特徴とする請求項１または２の液体の定量吐出装置。
【請求項４】
前記押圧手段は、エア圧力によりバルブブロックを押圧するよう構成されることを特徴とする請求項１、２または３の液体の定量吐出装置。
【請求項５】
前記制御部が、前記押圧手段によるエア圧力を調圧して押圧力を一定に保持することを特徴とする請求項４の液体の定量吐出装置。
【請求項６】
前記バルブブロックを、スライド型、一方向回転型、または往復動回転型のバルブブロックで構成することを特徴とする請求項１ないし５のいずれかの液体の定量吐出装置。
【請求項７】
前記制御部が、前記プランジャロッドの吸入開始位置と排出終了位置を前記シリンダブロックと前記バルブブロックの接合面に制御することを特徴とする請求項１ないし６のいずれかの液体の定量吐出装置。
【請求項８】
前記制御部が、前記プランジャロッド後退移動量を制御することにより、一回に吐出する量だけ前記計量孔内に液体を吸引することを特徴とする請求項１ないし７のいずれかの液体の定量吐出装置。
【請求項９】
前記吐出部と前記バルブブロックとが、液送管を介して連通されることを特徴とする請求項１ないし８のいずれかの流体の定量吐出装置。 
【請求項１０】
貯留容器の液体を加圧する加圧手段を具えた請求項１ないし９のいずれかの流体の定量吐出装置。 
【請求項１１】
前記プランジャロッドを複数としたことを特徴とする請求項１ないし１０のいずれかの液体の定量吐出装置。 
【請求項１２】
前記プランジャロッドのいずれか一の吐出作動中に、他のプランジャロッドの吸引作動を行うことを特徴とする請求項１１の液体の定量吐出装置。 
【請求項１３】
吐出する液体を所望量に計量する計量孔を有するシリンダブロックと、貯留部と計量孔を連通する第一位置及び吐出部と計量孔を連通する第二位置を有するバルブブロックとを連設した液体の定量吐出装置において、計量孔内を摺動するプランジャロッドの後退動作により貯留部から所望量の液体を計量孔に吸引し、プランジャロッドの進出動作により計量孔内の液体をノズルに送出する液体の定量吐出方法であって、  
前記バルブブロックを前記シリンダブロックに押圧する押圧手段を設け、当該押圧手段により前記バルブブロックを押圧しながら、前記バルブブロックの第一位置と第二位置とを切り換えることを特徴とする液体の定量吐出方法。
【請求項１４】
前記押圧手段をエア圧力により前記バルブブロックを押圧するよう構成し、エア圧力を調圧して押圧力を一定に保持することを特徴とする請求項１３の液体の定量吐出方法。
【請求項１５】
一回の吐出を、前記プランジャロッドの一回の後退動作及び一回の進出動作で行うことにより均一な塗布形状を形成することを特徴とする請求項１３または１４の液体の定量吐出方法。
【請求項１６】
前記プランジャロッドの吸入開始位置と排出終了位置を前記シリンダブロックと前記バルブブロックの接合面に制御することを特徴とする請求項１３ないし１５のいずれかの液体の定量吐出方法。
【請求項１７】
前記プランジャロッド後退移動量を制御することにより、一回に吐出する量だけ前記計量孔内に液体を吸引することを特徴とする請求項１３ないし１６のいずれかの液体の定量吐出方法。 
【請求項１８】
前記プランジャロッドを複数設け、前記プランジャロッドのいずれか一の吐出作動中に、他のプランジャロッドの吸引作動を行うことを特徴とする請求項１３ないし１７のいずれかの液体の定量吐出方法。
【手続補正２】
【補正対象書類名】明細書
【補正対象項目名】００４２
【補正方法】変更
【補正の内容】
【００４２】
吐出作業は、以下の（１）〜（５）の順番に行われる。 
（１）貯留容器６とシリンダ５とを連通するようボールバルブ７の弁体８の位置を制御する。 
（２）シリンダ５内に所望する液体量が吸入されるようモータ１を制御してプランジャロッド４を後退移動させる。（吸入開始） 
このとき、吸入を開始するときのプランジャロッド４の位置は、シリンダ５のボールバルブ７の弁体８に近いほど好ましい。 
（３）プランジャロッド４を後退移動させて所望する液体量がシリンダ５内に吸入されると（充填完了）、シリンダ５とノズル９とが連通するようボールバルブ７の弁体位置を変位する。 
（４）吸入した液体量をシリンダ５から排出するようモータ１を制御してプランジャロッド４を前進移動させる。プランジャロッド４が進出移動するとシリンダ５内の液体が加圧され、ノズル９先端の吐出口から液体が吐出される。ボールバルブ７は貯留容器６と連通していないから、シリンダ５内の液体が加圧されても貯留容器６へ液体が逆流することは無い。このとき、プランジャロッド４は液体をシリンダ５内に吸引したときの吸引開始位置まで前進移動させる。吸引開始位置と排出終了位置を同位置とする。これで、所望量の液体がノズル９先端から吐出される。（吐出終了） 
（５）次の吐出は、再び上記１と同様にボールバルブ７の弁体位置を貯留容器６とシリンダ５が連通する位置に変位して上記（１）〜（４）までの作業を繰り返す。プランジャロッド４は排出終了位置から次の吐出の吸引を開始する。
【手続補正３】
【補正対象書類名】明細書
【補正対象項目名】００４６
【補正方法】変更
【補正の内容】
【００４６】
モータＡ２０は、ボールネジＡ２３とギアＡ２１を介して接続されている。プランジャロッドＡ２７はモータＡ２０の回転動作によりシリンダＡ２９に内接して進退動作するよう、プランジャロッド取付板Ａ２５に付けられている。プランジャロッドＢ２８はボールネジＢ２４の回転によりシリンダＢ３０に内接して進退動作するよう、プランジャロッド取付板Ｂ２６に取りつけられており、プランジャロッドＡ２７が進出移動するときにはプランジャロッドＢ２８が退行移動するように、プランジャロッドＡ２７が退行移動するときにはプランジャロッドＢ２８が進出移動するように、ボールネジＢ２４に連結したギアＢ２２はギアＡ２１と連結している。 
【手続補正４】
【補正対象書類名】明細書
【補正対象項目名】００５６
【補正方法】変更
【補正の内容】
【００５６】
（４）ここで、貯留容器とシリンダＡ２９とを連通するように、すなわちノズル９とシリンダＢ３０が連通するようにバルブブロック３４の位置を調節する。
（５）次に、シリンダＢ３０を所望吐出体積量だけモータＡ２０を駆動して進出移動させる。このときモータＡ２０の回転は、プランジャロッドＡ２７が所望吐出体積量だけ後退移動するから、貯留容器６の液体がシリンダ内に吸引される。
（６）さらに、貯留容器６とシリンダＢ３０とを連通するように、すなわちノズル９とシリンダＡ２９が連通するようにバルブブロック３４の位置を調節する。
（７）シリンダＡ２９を所望吐出体積量だけモータＡ２０を駆動して進出移動させる。シリンダＡ２９には所望量の液体が充填されていたから、前記モータＡ２０の駆動によりノズル９先端の吐出口から液体が吐出される。また、貯留容器６とシリンダＢ３０が連通しており、このときモータＡ２０の回転によりプランジャロッドＢ２８は所望吐出体積量だけ後退移動するから、貯留容器６の液体がシリンダＢ３０内に吸引される。 
（８）以下（４）〜（７）の動作で液体が吐出される。